(57)【特許請求の範囲】
【請求項１】
感光材料（Ｐ）を搬送するための露光台（１３）と、デジタル化された原画の画像データに基づいて露光台（１３）上の感光材料（Ｐ）をデジタル露光する露光ユニット（１４）とを装置本体（１）内に備えてなる写真処理装置において、前記装置本体（１）内に、前記露光台（１３）および前記露光ユニット（１４）を取り付けるための取付台（１２２）が設けられ、露光ユニット（１４）が、第一の位置決め手段によって取付台（１２２）に位置決めされると共に、露光台（１３）が、露光ユニット（１４）に対して適正位置となるよう、第二の位置決め手段によって取付台（１２２）に位置決めされ、さらに、取付台（１２２）が、装置本体（１）に対して位置調整可能に構成されてなることを特徴とする写真処理装置。
【請求項２】
前記取付台（１２２）に、前記露光ユニット（１４）を取付けるための第一基準面と、前記露光台（１３）を取付けるための第二基準面とが形成され、且つ、第一基準面と第二基準面とが互いに直交するよう設定されてなる請求項１記載の写真処理装置。
【請求項３】
第一基準面と露光ユニット（１４）とが少なくとも二箇所以上で凹凸嵌合することで、露光ユニット（１４）が取付台（１２２）に位置決めされる一方、第二基準面と露光台（１３）とが一箇所で凹凸嵌合すると共に、第二基準面から突出する係止体（１４４）と露光台（１３）の外縁とが係合することで、露光台（１３）が取付台（１２２）に位置決めされてなる請求項２記載の写真処理装置。
【請求項４】
前記係止体（１４４）が、第二基準面に沿って回転可能な偏芯カムである請求項３記載の写真処理装置。
【請求項５】
前記取付台（１２２）と装置本体（１）との間に、防振材（１３４）を配してなる請求項１乃至４の何れかに記載の写真処理装置。
【発明の詳細な説明】
【０００１】
【発明の属する技術分野】
本発明は、デジタル露光を行なう写真処理装置に関する。
【０００２】
【従来の技術】
近年のデジタル技術およびこれに付随するデジタル用デバイスの発達に伴い、写真処理装置業界においてもデジタル化の波が打ち寄せている。その一例として、写真フィルムの原画を光学レンズ系を介して感光材料に焼き付けるという従来のアナログ露光方式に取って代わり、写真フィルムの原画をスキャナーで読み込んでデジタルデータ化し、このデジタルデータに基づいて作成される画像をデジタル用デバイスを介して感光材料に焼き付けるというデジタル露光方式が採用されるようになってきている。
【０００３】
デジタル露光方式には、光ファイバとＰＬＺＴ素子（透光性圧電セラミックス素子）との組合せによる方式、ＤＭＤ（デジタル・マイクロミラー・デバイス）（登録商標）（以下、「ＤＭＤ」と省略する）による方式、レーザー光とポリゴンミラーとの組合せによる方式等が提供されているが、何れの方式にあっても、感光材料を一定速度で搬送させながらライン状の露光を行なっていく、いわゆる走査露光方式が大半である。
【０００４】
従って、走査露光方式を採用する写真処理装置では、微小なデジタルドットに対応した送り精度の高い搬送が可能な露光台と、デジタル化された写真フィルムの画像データに基づいて露光台上の感光材料に露光のための走査光を照射する走査露光ユニットとが必須の構成になってくる。
【０００５】
【発明が解決しようとする課題】
ここで、露光台および走査露光ユニットは、機構的には完全に独立した構成であるため、装置設計においては、それぞれを別々に取付けて装置本体内に配置するという考え方が一般的に採用される。かかる場合、露光台上での感光材料の搬送方向と上流側の他の搬送ユニットから送り出されてくる感光材料の搬送方向とを厳密に一致させておかないと、感光材料上に走査露光された複数の点像がきれいに重ならず、正しいプリント画像が得られないことから、通常は、工場出荷前において、まず、露光台を感光材料の搬送方向に対して位置調整した後、走査露光ユニットを露光台に合わせ込むようにして位置調整しておく。しかしながら、このような構成の写真処理装置では、以下のような問題が発生する。
【０００６】
第一の問題は、後日のメンテナンス等で露光台の位置を再調整しなければならない場合、もしくは露光台を修理、補修、交換等で一旦取り外さなければならない場合、露光台の位置が初期位置から微小にずれてしまうため、走査露光ユニットの位置調整をやり直す必要が生じ、このため、調整作業が極めて煩雑になるというものである。
【０００７】
第二の問題は、装置本体内では、感光材料を搬送する時のモーターの振動、現像処理部における搬送ラックを駆動するモーターの振動、乾燥用ファンの振動等が生じており、固有振動数の異なる露光台および走査露光ユニットが、これらの外的振動を受けて、互いに異なる周波数で微小振動する場合には、走査露光中に画像ズレが起こり、プリント上にスジムラが発生するというものである。
【０００８】
そこで、本発明は上記の問題を解決するためになされたもので、感光材料を搬送するための露光台および露光台上の感光材料に露光を行なう露光ユニットの位置調整作業を簡素化することができ、併せて、露光台および露光ユニットに対して、モーター、ファン等の外的振動の影響の少ない写真処理装置を提供することを課題とする。
【０００９】
【課題を解決するための手段】
上記課題を解決するための本発明に係る写真処理装置は、感光材料Ｐを搬送するための露光台１３と、デジタル化された原画の画像データに基づいて露光台１３上の感光材料Ｐをデジタル露光する露光ユニット１４とを装置本体１内に備えてなる写真処理装置において、前記装置本体１内に、前記露光台１３および前記露光ユニット１４を取り付けるための取付台１２２が設けられ、露光ユニット１４が、第一の位置決め手段によって取付台１２２に位置決めされると共に、露光台１３が、露光ユニット１４に対して適正位置となるよう、第二の位置決め手段によって取付台１２２に位置決めされてなり、さらに、取付台１２２が、装置本体１に対して位置調整可能に構成されてなることを特徴とする。
【００１０】
上記構成からなる写真処理装置によれば、露光台１３および露光ユニット１４を取付台１２２に取付けると、両者は互いに適正な位置関係に位置決めされる。かかる状態から、装置本体１に対して取付台１２２の位置調整を行ない、露光台１３における感光材料Ｐの搬送方向と、露光台１３よりも上流側に位置する他の搬送ユニットにおける感光材料Ｐの搬送方向とを一致させる。これにより、露光台１３および露光ユニット１４の位置調整が完了する。
【００１１】
また、本発明に係る写真処理装置は、請求項２記載の如く、前記取付台１２２に、前記露光ユニット１４を取付けるための第一基準面と、前記露光台１３を取付けるための第二基準面とが形成され、且つ、第一基準面と第二基準面とが互いに直交するよう設定されてなる構成を採用することができる。
【００１２】
上記構成からなる写真処理装置によれば、露光ユニット１４から照射される光の照射方向が第一基準面と平行し且つ第二基準面と直交する一方、露光台１３における感光材料Ｐの搬送方向が第二基準面と平行し且つ第一基準面と直交するように露光台１３および露光ユニット１４を位置決めすれば、両者は適正な位置関係となる。
【００１３】
さらに、本発明に係る写真処理装置は、請求項３記載の如く、第一基準面と露光ユニット１４とが少なくとも二箇所以上で凹凸嵌合することで、露光ユニット１４が取付台１２２に位置決めされる一方、第二基準面と露光台１３とが一箇所で凹凸嵌合すると共に、第二基準面から突出する係止体１４４と露光台１３の外縁とが係合することで、露光台１３が取付台１２２に位置決めされてなる構成を採用することができる。
【００１４】
上記構成からなる写真処理装置によれば、第一基準面と露光ユニット１４とが少なくとも二箇所以上で凹凸嵌合することで、第一基準面に沿った露光ユニット１４の移動が規制されて、露光ユニット１４は位置決めされる。そして、第二基準面と露光台１３とが一箇所で凹凸嵌合することで、露光台１３が第二基準面に沿って回転可能となるが、係止体１４４との係合によって回転方向の移動が規制されて、露光台１３は位置決めされる。
【００１５】
また、本発明に係る写真処理装置は、請求項４記載の如く、前記係止体１４４が、第二基準面に沿って回転可能な偏芯カムである構成を採用するのがより好ましい。
【００１６】
上記構成からなる写真処理装置によれば、偏芯カムの回転調整を行なうことで、第二基準面に対する露光台１３の回転方向の位置調整を行なうことができる。これにより、露光ユニット１４が、例えば走査露光方式を採用したものである場合、露光台１３における感光材料Ｐの搬送方向と走査光の走査方向とを正確に直交させることができ、感光材料上に走査露光された複数の点像がきれいに重なった正しいプリント画像を得ることができる。尚、かかる構成を採用する理由として、走査露光方式を採用した場合の露光ユニット１４と露光台１３との相対位置関係において、露光台１３における感光材料Ｐの搬送方向と走査光の走査方向との直交度が厳密に要求されるからである。
【００１７】
さらに、本発明に係る写真処理装置は、請求項５記載の如く、前記取付台１２２と装置本体１との間に、防振材１３４を配してなる構成を採用することができる。かかる構成からなる写真処理装置によれば、装置本体内で発生する、感光材料Ｐを搬送する時のモーターの振動、現像処理部における搬送ラックを駆動するモーターの振動、乾燥用ファンの振動等の外的振動が、露光台１３および露光ユニット１４に伝わることはなく、露光台１３と露光ユニット１４とが互いに異なる周波数で微小振動することによる画像ズレを好適に防止することができる。
【００１８】
【発明の実施の形態】
以下、本発明に係る写真処理装置の一実施形態を図面を参酌しつつ説明するが、これに先立ち、本実施形態に係る写真処理装置の概略構成を説明する。
【００１９】
図１に示す如く、装置本体１の上面の一端側には、感光材料Ｐをロール状にして収容し、感光材料Ｐを装置本体１内に供給するための二つのマガジン３（３ａ，３ｂ）が載置されている。それぞれのマガジン３は、二分割されて開閉自在な略立方形状（箱型）をなし、その角部近傍には、感光材料Ｐの送り出しのための排出口４（４ａ，４ｂ）が形成されている。
【００２０】
一方、二つのマガジン３ａ，３ｂが載置される装置本体１の上面は、段差状に形成され、第一のマガジン３ａは、排出口４ａを装置本体１の上面と対向させて上段面に載置され、第二のマガジン３ｂは、排出口４ｂを段差部の壁面と対向させて下段面に載置されている。上段面と壁面とが略直交し、壁面と下段面とが略直交しているため、第二のマガジン３ｂは、第一のマガジン３ａに対して９０度回転し、それぞれの感光材料Ｐの排出方向は、互いに略直交した関係にある。
【００２１】
また、装置本体１の上面であって、それぞれのマガジン３の排出口４に対応する位置には、マガジン３の排出口４から外部に送り出された感光材料Ｐを装置本体１内に受け入れるための受入口５（５ａ，５ｂ）が形成されている。
【００２２】
そして、装置本体１内には、二つの受入口５（５ａ，５ｂ）に臨み、それぞれのマガジン３から受け取った感光材料Ｐを下方向に搬送する縦長の第一搬送ユニット７が配置されている。第一搬送ユニット７は、二つの感光材料Ｐ，Ｐの何れか一方を選択して下流側に送り出すための選択機構８と、選択された一方の感光材料Ｐを所定長さに切断するカッター機構９と、該カッター機構９より下流側に間隔を有して複数配置されたローラー１０，…とを備えている。
【００２３】
また、第一搬送ユニット７の下流位置には、該第一搬送ユニット７から受け取った感光材料Ｐを露光処理する露光処理ユニット１１が配置されている。露光処理ユニット１１は、第一搬送ユニット７から受け取った感光材料Ｐを所定速度で搬送させ、あるいは所定位置に位置決めさせるための露光台１３と、デジタル化された写真フィルムの画像データに基づいて露光台１３上の感光材料Ｐに走査光を照射する走査露光ユニット（単に、露光ユニットともいう）１４とを備えている。
【００２４】
さらに、露光台１３の下流位置には、該露光台１３から受け取った感光材料Ｐを装置本体１の下方位置から搬送方向を上方に転換して搬送するための搬送ユニットが配置されている。この搬送ユニットは、搬送経路の上流側から順番に、第二搬送ユニット１６、第三搬送ユニット１７、第四搬送ユニット１８で構成されている。
【００２５】
第二搬送ユニット１６は、露光台１３から下方に送り出された感光材料Ｐを装置本体１の下部近傍に沿って水平方向に搬送した後、搬送方向を転換して上方に搬送するためのものであり、第三搬送ユニット１７は、第二搬送ユニット１６から上方に送り出された感光材料Ｐを左右に振り分けて上方に搬送するためのものであり、第四搬送ユニット１８は、第三搬送ユニット１７から上方に送り出された感光材料Ｐを上方に搬送した後、搬送方向を転換して水平方向に搬送するためのものであり、それぞれ搬送のための複数のローラーを備えている。
【００２６】
ここで、装置本体１は、長手方向（横方向）の略中央部位にて立設された平板状の仕切りフレーム１ｂにより、上流側のプリンタ部（露光処理部）Ａと、下流側のプロセッサ部（現像処理部）Ｂとに分けられており、第二搬送ユニット１６は、プリンタ部Ａの下部フレーム１ｃに沿って配置され、第三搬送ユニット１７および第四搬送ユニット１８は、仕切りフレーム１ｂに沿って配置された態様となっている。
【００２７】
次に、装置本体１のプロセッサ部Ｂ内には、第四搬送ユニット１８から送り出された感光材料Ｐの現像処理を行なう現像処理ユニット２０が配置されている。現像処理ユニット２０は、発色液、定着液、安定液等の現像処理に必要な処理液を蓄えた複数の処理タンク２１, …と、それぞれの処理タンク２１に挿入され、上下方向に配置された複数の送りローラー２２（図中は一部のみの図示）を備えた液中ラック（図示せず）と、隣同士の処理タンク２１，２１の上方開口部を跨ぐように配置された送りローラー２３を備えたオーバーラック（図示せず）とで構成されている。
【００２８】
そして、プロセッサ部Ｂの下流側には、現像処理を終えた感光材料Ｐに付着した余分な処理液を飛ばして感光材料Ｐを乾燥処理する乾燥ユニット２５が配置されている。乾燥ユニット２５は、搬送経路上の感光材料Ｐに熱風を送給するヒーター（図示せず）と、乾燥された感光材料Ｐを外部に排出する排出ローラー２６とを備えている。
【００２９】
本実施形態に係る写真処理装置の概略構成は以上の如くであり、次に、本発明の特徴部分である露光処理ユニット１１について詳細に説明する。
【００３０】
本実施形態に係る露光処理ユニット１１は、ＤＭＤを用いて走査露光を行なうデジタル露光手段である。露光処理ユニット１１は、上述の如く、走査露光に係る感光材料Ｐの搬送を行なう露光台１３と、露光台１３上の感光材料Ｐに対して走査光を照射する走査露光ユニット１４とを備えている。そして、これらは、装置本体１の下部フレーム１ｃ上に配置された支持体１２に取付けられている。
【００３１】
支持体１２は、図２及び図３に示す如く、装置本体１の下部フレーム１ｃの上方に配置された平板状の第一基台１２０と、該第一基台１２０の上方に配置された平板状の第二基台１２１と、該第二基台１２１の上方に配置され、露光台１３および走査露光ユニット１４を取付けるための取付台１２２とからなる。また、取付台１２２は、第二基台１２１の上方に配置された平板状の基準取付台１２３と、該基準取付台１２３の上面に立設された露光台取付台１２４とからなる。これらの第一基台１２０、第二基台１２１、基準取付台１２３は、互いに所定間隔を有し、且つ、装置本体１の下部フレーム１ｃ（水平面）と略平行になるように設定されている。
【００３２】
第一基台１２０は、方形状の鋼板の四辺を下方に約９０度折り曲げて形成した偏平箱状の鈑金物で、平行配置された二本のスライドレール１２５，１２５によって装置本体１から感光材料Ｐの搬送経路の幅方向に引き出し可能に構成されている。すなわち、装置本体１の下部フレーム１ｃには、長手方向を搬送経路の幅方向に一致させて二本の長尺な第一固定レール１２６，１２６が固着して取付けられる一方、第一基台１２０の側面には、第一固定レール１２６，１２６の形状および設置位置に対応した二本の長尺な第二固定レール１２８，１２８が固着して取付けられ、さらに、第一固定レール１２６の内面と第二固定レール１２８の内面とに沿うように長尺な中間レール１２７が嵌装されており、第一固定レール１２６に沿って中間レール１２７および第二固定レール１２８をスライドさせることにより、第一基台１２０が装置本体１の内外にスライドし得るように構成されている。
【００３３】
第二基台１２１は、方形状の鋼板の四辺を下方に約９０度折り曲げて形成した偏平箱状の鈑金物で、第一基台１２０の四隅から上方に突出するボルト１３０およびこれに螺着される二つのナット１３１，１３１によって、第一基台１２０に間隔を有して固定されている。具体的には、第二基台１２１の所定位置には、ボルト１３０を挿通可能な孔が形成されており、ボルト１３０に螺着された二つのナット１３１，１３１を第二基台１２１を挟み込むように締結することで、第二基台１２１は第一基台１２０に固定される。
【００３４】
また、それぞれのボルト１３０に対するナット１３１，１３１の締結位置を調整することで、装置本体１の下部フレーム１ｃに対する第二基台１２１の傾きを調整でき、且つ、第二基台１２１に形成されたボルト挿通用の孔は、ボルト１３０の径よりも大きな径をもって形成されており、第二基台１２１を水平方向（特に、感光材料Ｐの搬送経路の幅方向）に微小移動させることができる。
【００３５】
基準取付台１２３は、撓み変形のない程度の厚みを有する鋼板からなり、第二基台１２１の上面に取付られた、例えば硬質ゴムからなる防振材１３４上に載置されている。この防振材１３４は、第二基台１２１の上面の適宜位置、例えば第二基台１２１の四隅位置に配置されており、基準取付台１２３と第二基台１２１との間に防振材１３４を介装することによって、基準取付台１２３は、第二基台１２１と間隔を有して平行に配置される。
【００３６】
また、基準取付台１２３の上面には、偏平円柱状に形成された金属性のパッド（図示しない）が、間隔を有して適宜位置に複数配設されており、これらの複数のパッドの上面が、一つの平面（第一基準面）を形成している。しかも、基準取付台１２３の上面には、パッドの上面（第一基準面）よりも上方に突出する円柱状の位置決めピン１３５が、感光材料Ｐの搬送方向の幅方向に二箇所設けられている。
【００３７】
露光台取付台１２４は、装置本体１の奥側（搬送される感光材料Ｐの一側端縁側）に位置する左側プレート１３６と、装置本体１の手前側（搬送される感光材料Ｐの他側端縁側）に位置する右側プレート１３７とを備えている。
【００３８】
左側プレート１３６は、所定の厚みを有するアルミ板を略直角三角形状に加工したもので、その板面を基準取付台１２３の奥側端縁に沿わせた状態で、短辺に係る端面１３６ａを基準取付台１２３の上面に固定することにより、端面１３６ａと直交する端面１３６ｂは、第一基準面と直交するようになっている。
【００３９】
右側プレート１３７は、所定の厚みを有するアルミ板を略長方形状に加工したもので、その板面を基準取付台１２３の奥側端縁に平行、即ち左側プレート１３６の板面と平行にした状態で、短辺に係る端面１３７ａを基準取付台１２３の上面に固定することにより、端面１３７ａと直交する端面１３７ｂは、左側プレート１３６の端面１３６ｂと同一平面状にあり、且つ、第一基準面と直交するようになっている。
【００４０】
従って、左側プレート１３６の端面１３６ｂと右側プレート１３７の端面１３７ｂとが、第一基準面と直交する一つの面（第二基準面）を形成している。
【００４１】
露光台１３は、複数のローラーを備え、第一搬送ユニット７と第二搬送ユニット１６との間に介装される搬送ユニットである。この露光台１３は、横長の箱型形状を有しており、露光台１３の四隅箇所に挿通された四本のボルト１４１，…を左側プレート１３６の端面１３６ｂ若しくは右側プレート１３７の端面１３７ｂに穿設された雌ネジにそれぞれ締結することで、露光台取付台１２４に固定されている。この時、露光台１３の平面長方形状を有する取付面１４０は、左側プレート１３６の端面１３６ｂおよび右側プレート１３７の端面１３７ｂに当接した状態となっている。
【００４２】
また、左側プレート１３６の端面１３６ｂの中央部位には、円柱状の支持ピン１４３が、一部を端面１３６ｂから臨出させて嵌入される一方、露光台１３の取付面１４０の対応位置には、支持ピン１４３を嵌入可能な円孔が穿設されている。従って、露光台１３は、この支持ピン１４３を中心として露光台取付台１２４の第二基準面に沿って回転可能となっている。
【００４３】
しかも、右側プレート１３７の端面１３７ｂの下方部位には、係止体として、端面１３７ｂに沿って回転可能な円柱状の偏心カム１４４が設けられ、この偏心カム１４４の周面が露光台１３の取付面１４０の下端（外縁）に接触するようになっているので、偏心カム１４４を回転調整したならば、支持ピン１４３を中心として露光台１３を微小回転させることができる。本実施形態では、係止体として偏心カム１４４を用いたが、ネジ等を用いて高さを調整する通常の機構を採用しても同様の効果を得ることができる。
【００４４】
また、露光台１３内に設けられたローラーは、所定間隔を有して上下方向に配置され且つ互いの軸芯を通る面が取付面１４０と平行に配置された一対のアドバンスローラー１４６，１４６と、それぞれのアドバンスローラー１４６に圧着される二本の圧着ローラー１４７，１４７とからなる。従って、第一搬送ユニット７から送り出されて露光台１３内に送り込まれた感光材料Ｐは、まず、上方のアドバンスローラー１４６とこれに圧着される二本の圧着ローラー１４７，１４７に保持され、しかる後、下方のアドバンスローラー１４６とこれに圧着される二本の圧着ローラー１４７，１４７にも保持された状態で搬送される。
【００４５】
尚、第一搬送ユニット７から露光台１３への感光材料Ｐの先端の移行、あるいは露光台１３から第二搬送ユニット１６への感光材料Ｐの先端の移行を円滑且つ確実にすべく、第一搬送ユニット７の出口部、露光台１３の入口部および出口部、そして第二搬送ユニット１６の入口部には、二枚の板体が対向配置されて先端側がテーパ状に拡開されたガイド体１４９が配置されている。
【００４６】
ここで、走査露光ユニット１４からの走査光Ｑは、二つのアドバンスローラー１４６，１４６間に照射されるように設定されており、二つのアドバンスローラー１４６，１４６間に位置する横長のスリット状領域が走査露光領域となる。また、走査露光中における感光材料Ｐの紙面直交方向での浮き上がりによってプリント品質が低下するのを防止すべく、二つのアドバンスローラー１４６，１４６間には、搬送経路に沿って多孔の背面板１５０が配置されており、背面板１５０の裏面側から多孔を介して表面側の空気を吸引することで、感光材料Ｐを背面板１５０に吸着させながら搬送させるようにしている。
【００４７】
走査露光ユニット１４は、光源としてのハロゲンランプ１５５を収容するランプハウス１５６と、ハロゲンランプ１５５の照射光を露光台１３の走査露光領域に導くための光学系を収容する光学ボックス１５７とを備えている。
【００４８】
光学ボックス１５７は、平面視にて基準取付台１２３と略同一形状の箱型に形成され、その下面が基準取付台１２３の第一基準面と当接して、基準取付台１２３上に載置されている。しかも、光学ボックス１５７の下面には、基準取付台１２３の上面に突設された二本の位置決めピン１３５，１３５が嵌入し得る孔が穿設されており、ピン１３５を孔の中に嵌入させて光学ボックス１５７を基準取付台１２３に取付けることで、光学ボックス１５７は、基準取付台１２３の正規位置に位置決め固定される。
【００４９】
また、光学ボックス１５７の内部であって、ハロゲンランプ１５５から照射される光の光軸上には、反射ミラー、レンズ、ＤＭＤ等の光学部品が配置されており、光学ボックス１５７の側面であって露光台１３との対向位置には、走査光を外部に投光させるためのスリットが横長に形成されている。
【００５０】
さらに、ランプハウス１５６には、ハロゲンランプ１５５の熱損傷を防止すべく、冷却装置が設けられている。この冷却装置は、感光材料Ｐの搬送経路の幅方向に沿って基準取付台１２３上に配設された角パイプ状のダクト１６１と、正面フレーム１ｄの開口１ｅに連通し、該正面フレーム１ｄの裏面側に配置される排気手段としての排気ファン１６２とを備えている。そして、ダクト１６１は、ランプハウス１５６の側面に形成された開口１６０に一端が接続されると共に、支持体１２を装置本体１内に収容した際に、装置本体１の奥側に位置する正面フレーム１ｄに形成された方形状の開口１ｅに他端が接続される。
【００５１】
従って、走査露光ユニット１４が搭載された支持体１２を装置本体１内に収容した状態にあっては、ダクト１６１の両端がランプハウス１５６の開口１６０と正面フレーム１ｄの開口１ｅとに接続され、ランプハウス１５６の内部と排気ファン１６２とがダクト１６１を介して連通状態となるので、排気ファン１６２を運転させることで、ランプハウス１５６内の空気（ハロゲンランプ１５５の放熱により温められた空気）を排出することができる。
【００５２】
ここで、ランプハウス１５６は、光学ボックス１５７内への迷光の侵入を防止すると共に、収容されたハロゲンランプ１５５の強制冷却を行なうためのものであり、図４に示す如く、光学ボックス１５７の側面に設けられたハロゲンランプ装着体１６５と、該ハロゲンランプ装着体１６５に着脱自在に取付けられる略直方体形状の通風ガイド体１６６と、該通風ガイド体１６６に着脱自在に取付けられる略直方体形状の遮光体１６７と、該遮光体１６７の開放端に挿着されるエアフィルタ１６８と、該エアフィルタ１６８を挿入した状態で遮光体１６７の開放端に被せられるカバー体１６９とからなる。
【００５３】
ハロゲンランプ装着体１６５には、ハロゲン球（図示せず）を光学ボックス１５７内に挿入させた状態でリフレクタ１７０が取付けられており、ハロゲンランプ装着体１６５から外側には、リフレクタ１７０およびハロゲンランプ１５５の封止部１７１が臨出した格好となる。
【００５４】
通風ガイド体１６６は、ハロゲンランプ１５５を囲うようにしてハロゲンランプ装着体１６５に取付けられる箱体であり、一の側面（装置本体１の奥側の側面）の下方位置には、ダクト１６１の一端が接続される開口１６０が形成されると共に、遮光体１６７と対向する面の上方位置にも開口１７３が形成されている。また、通風ガイド体１６６内には、二枚のガイド板１７４，１７４が対向配置されており、この二枚のガイド板１７４，１７４等によって開口１７３から開口１６０を結ぶ一つの流路が形成されている。具体的には、通風ガイド体１６６のうちの遮光体１６７と対向する面の裏面側に、二枚のガイド板１７４，１７４が裏面と直交するように固着されており、遮光体１６７と対向する面および二枚のガイド板１７４，１７４によって断面視略コの字状の流路が形成される。この流路の開放端は、ハロゲンランプ装着体１６５に通風ガイド体１６６を取付けた状態にて、ハロゲンランプ装着体１６５の通風ガイド体１６６と対向する面にて閉塞される。従って、流路は外周が囲まれたダクト状となる。
【００５５】
二枚のガイド板１７４，１７４の先端部は、図５に示す如く、リフレクタ１７０の基端部および封止部１７１を挟み込む配置となっており（流路を構成するダクトの吹き出し側開口端に、リフレクタ１７０の基端部および封止部１７１を配置するようになっており）、二枚のガイド板１７４，１７４間を流通する空気をリフレクタ１７０の基端部および封止部１７１に吹き付けるようにしている。
【００５６】
尚、二枚のガイド板１７４，１７４は、該二枚のガイド板１７４，１７４から吹き出される空気を下流側の開口１６０側に誘導すべく、それぞれの先端部が開口１６０側に屈曲されており、また、二枚のガイド板１７４，１７４とリフレクタ１７０の外周曲面との干渉を防止すべく、それぞれの先端部の該当箇所がリフレクタ１７０の外周曲面に沿って（本実施形態では斜め）角取りされている。
【００５７】
遮光体１６７は、通風ガイド体１６６に形成された開口１７３を囲うようにして該通風ガイド体１６６に取付けられる筒状の箱体であり、遮光体１６７の他端から侵入した光が通風ガイド体１６６に形成された開口１７３を介して光学ボックス１５７内に侵入しないよう、遮光体１６７内には、複数の遮光板１８０，…が配置されている。本実施形態においては、外側から通風ガイド体１６６にかけて、上方が開口された第一の遮光板１８０ａ、下方が開口された第二の遮光板１８０ｂの二枚の遮光板１８０が順番に並んで配置されている。また、それぞれ遮光板１８０の先端は、隣の遮光板１８０の先端を越して基端側に進入する長さに形成されており、遮光体１６７内を光が直進できない（遮光体１６７内を光が進めない）ようになっている。
【００５８】
尚、遮光体１６７の通風ガイド体１６６側の開放端は、板体によって閉塞されており、この板体には、通風ガイド体１６６に遮光板１６７を取付けた状態で、開口１７３と連通する開口１８１が形成されている。
【００５９】
エアフィルタ１６８は、遮光体１６７の断面形状と一致する直方体形状に形成されており、遮光体１６７の外側の開放端から遮光板１６７内に挿入して遮光体１６７内に挿着される。そして、遮光体１６７に挿着されたエアフィルタ１６８は、遮光体１６７の外側の開放端に外嵌されたカバー体１６９によって抜け防止がなされる。
【００６０】
本実施形態に係る露光処理ユニット１１の詳細構成は以上の如くであり、次に、露光処理ユニット１１の調整方法について図３を参酌しつつ説明する。尚、露光処理ユニット１１の調整は、露光台１３上の走査露光領域の適正位置に走査光を照射させると共に、他の搬送ユニット（特に、第一搬送ユニット７）と露光台１３の感光材料の搬送方向を一致させることを目的としている。
【００６１】
まず、光学ボックス１５７の下面と該光学ボックス１５７から照射される走査光の照射方向とが平行となっていることを前提として、基準取付台１２３のピン１３５，１３５を光学ボックス１５７の下面に形成された二つの孔に嵌入させるように凹凸嵌合させて、光学ボックス１５７を基準取付台１２３上に載置する。この時、光学ボックス１５７の下面と基準取付台１２３の第一基準面とが当接しているので、光学ボックス１５７からの走査光の照射方向は、第一基準面と平行となる。
【００６２】
次に、左側プレート１３６の端面１３６ｂから突設されたピン１４３を露光台１３の取付面１４０の一端側中央部に穿設された円孔に嵌入させるように凹凸嵌合させて、取付面１４０の一端側を左側プレート１３６の端面１３６ｂに当接させると共に、取付面１４０の他端側を右側プレート１３７の端面１３７ｂに当接させてから、露光台１３の四箇所位置に挿通されているボルト１４１，…をそれぞれプレート１３６，１３７の端面１３６ｂ，１３７ｂに刻設された雌ネジに螺入させて、露光台１３を露光台取付台１２４に軽く固定する。
【００６３】
そして、かかる状態から、偏心カム１４４を回転調整して、露光台１３の傾き調整を行ない、走査光の走査方向とローラーの軸長方向とを平行、すなわち、走査光の走査方向と露光台における感光材料Ｐの搬送方向とを直交させた後、四本のボルト１４１，…を締結して、露光台１３を露光台取付台１２４にしっかりと固定する。
【００６４】
以上より、基準取付台１２３の上面（第一基準面）に光学ボックス１５７（走査露光ユニット１４を載置すると共に、露光台取付台１２４の端面１３６ｂ，１３７ｂ（第二基準面）に露光台１３を取付けて、偏芯カム１４４を用いて露光台１３の傾き調整を行なうのみで、走査露光ユニット１４と露光台１３との適正な位置関係を出すことができ、従って、露光台１３の走査露光領域に適正な走査光が照射されることとなる。
【００６５】
次に、ボルト１３０に締結されたナット１３１を緩めた後、ボルト１３０に対するナット１３１の螺着位置を変更すると共に、基準取付台１２３を水平方向に微小移動させ、露光台１３のローラーの軸長方向と第一搬送ユニット７のローラーの軸長方向とを平行にして、第一搬送ユニット７における感光材料Ｐの搬送方向と露光台１３における感光材料の搬送方向を一致させた後、ナット１３１，…を締結して、基準取付台１２３（第二基台１２１）を第一基台１２０に固定する。
【００６６】
以上により、基準取付台１２３の傾き調整および水平方向における位置調整を行なうのみで、走査露光ユニット１４と装置本体１（他の搬送ユニット）との関係、および、露光台１３と装置本体１（他の搬送ユニット）との関係を同時に出すことができ、従って、露光台１３上の感光材料に走査露光された複数の点像がきれいに重なった、正しいプリント画像を得ることができる。
【００６７】
本実施形態に係る露光処理ユニット１１の調整方法は以上の如くであり、本実施形態に係る露光処理ユニット１１によれば、走査露光ユニット１４は、基準取付台１２３に載置するだけで基準取付台１２３に位置決めされ、露光台１３は、露光台取付台１２４に取り付けて偏芯カム１４４を回転調整するだけで露光台取付台１２４に位置決めされるので、走査露光ユニット１４および露光台１３の何れかを一旦取り外した後、再度取付けるような場合であっても、偏芯カム１４４を触らない限り、両者の関係は維持されたままなので、再度の調整作業は不要である。
【００６８】
また、走査露光ユニット１４および露光台１３は、一つの部材（基準取付台１２３および露光台取付台１２４からなる取付台１２２）に一体的に取り付けられているので、走査露光ユニット１４および露光台１３の相対関係を維持しつつ、装置本体１（他の搬送ユニット）に対する調整作業を行なうことができる。しかも、走査露光ユニット１４および露光台１３の何れかを修理、補修、交換等で一旦取り外した後、再度取付けるような場合であっても、ナット１３１，…および偏芯カム１４４を触らない限り、両者と装置本体１（他の搬送ユニット）との関係は維持されたままなので、両者と装置本体１との再度の調整作業は不要である。
【００６９】
次に、ハロゲンランプ１５５を強制冷却するための冷却装置の動作態様について図４を参酌しつつ説明する。
【００７０】
露光処理ユニット１１が装置本体１内に収容された状態では、排気ファン１６２とランプハウス１５６とがダクト１６１を介して連通しており、排気ファン１６２を運転することで、ランプハウス１５６内は負圧状態となる。
【００７１】
すると、装置本体１内の空気は、エアフィルタ１６８を介してランプハウス１５６内に吸い込まれる。吸い込まれた空気は、エアフィルタ１６８にて塵、埃、紙粉等が除去され、まず、遮光体１６７内の遮光板１８０，…間を曲折しながら流通する。
【００７２】
そして、遮光体１６７の開口１８１を出た空気は、開口１７３から通風ガイド体１６６内に流通する。そこで、空気は、二枚のガイド板１７４，１７４間を通って通風ガイド体１６６の側面下方位置に形成された開口１６０に導かれる。この時、流路上に介在するリフレクタ１７０の基端部および封止部１７１は、流通する空気に晒されて強制冷却されることとなる。しかる後、ハロゲンランプ１５５を冷却した空気は、ダクト１６１内を流通してから装置本体１の外部に排気されることとなる。
【００７３】
以上、ランプハウス１５６内における空気の流通により、ハロゲンランプ１５５全体が冷却されるのはもちろん、特に熱損傷を受けやすい封止部１７１が好適に冷却されて、ハロゲンランプ１５５の長寿命化を図ることができる。
【００７４】
しかも、ランプハウス１５６内に、複数の遮光板１８０，…からなるラビリンス構造を採用することで、ハロゲンランプ１５５の冷却用空気の流通を阻害することなく、光の侵入を規制することができるため、光学ボックス１５７内へ侵入した迷光によって感光材料Ｐが不用意に感光するのを防止することができる。
【００７５】
尚、本発明に係る写真処理装置は、上記実施形態に限定されるものではなく、本発明の要旨を逸脱しない範囲にて種々の変更が可能である。
【００７６】
例えば、本発明は、上記実施形態の如く、ＤＭＤをデジタル用デバイスに採用するものに限られず、また、従来技術で列挙したものに限られず、公知となっているデジタル用デバイス全てを含むものである。
【００７７】
また、露光方式としては、走査露光方式に限定されず、また、走査露光方式であったとしても、感光材料Ｐが停止している状態で走査露光を行なう方式、露光ユニット側が移動して走査露光を行なう方式であってもよい。
【００７８】
さらに、デジタル露光に係るデジタル画像データは、写真フィルムの画像から採取する場合にのみ限定されるものではなく、例えばコンピューター上にて作成した画像であってもよく、デジタルカメラで撮影した画像であってもよく、スキャナー装置にて読込可能な印刷物の画像であってもよい。
【００７９】
また、取付台の位置調整（特に、傾き調整）を行なう構成、露光台の傾き調整を行なう構成は、上記実施形態に限定されず、露光ユニットおよび露光台を位置決めする構成も、上記実施形態に限定されない。
【００８０】
【発明の効果】
以上の如く、本発明に係る写真処理装置は、露光ユニットを第一の位置決め手段によって取付台に位置決めさせると共に、露光台を露光ユニットに対して適正位置となるよう第二の位置決め手段によって取付台に位置決めさせるようにしているので、露光ユニットおよび露光台の何れかを一旦取り外した後、再度取付けるような場合であっても、露光ユニットおよび露光台の位置関係は維持されており、従って、再度の調整作業を無くすことができる。
【００８１】
また、露光ユニットおよび露光台を取付けた取付台を装置本体に対して位置調整可能に構成しているので、露光ユニットおよび露光台の何れかを修理、補修、交換等で一旦取り外した後、再度取付けるような場合であっても、取付台と装置本体との関係は維持されており、露光ユニットおよび露光台と装置本体との再度の調整作業を無くすことができる。
【００８２】
さらに、露光ユニットおよび露光台を一つの取付台に取り付けることで、感光材料を搬送する時のモーターの振動、現像処理部における搬送ラックを駆動するモーターの振動、乾燥用ファンの振動等の外的振動を受けた露光ユニットおよび露光台が互いに異なる周波数で微小振動する事態は起こりにくくなるので、例えば、走査露光を行なう写真処理装置である場合の、走査露光中に画像ズレが起こり、プリント上にスジムラが発生するという問題を解消することができる。
【図面の簡単な説明】
【図１】本発明の一実施形態を示す写真処理装置の概略側面図。
【図２】同実施形態の露光処理ユニットの外観斜視図。
【図３】同実施形態の露光処理ユニット近傍の側面図。
【図４】同実施形態のランプハウスの分解斜視図。
【図５】同実施形態のランプハウスの通風ガイド体を示し、（イ）は、要部側面図、（ロ）は、（イ）のＡ矢視図。
【符号の説明】
１…装置本体、３…マガジン、７…第一搬送ユニット、１１…露光処理ユニット、１３…露光台、１４…走査露光ユニット、２０…現像処理ユニット、１２２…取付台、１２３…基準取付台、１２４…露光台取付台、１３０…ボルト、１３１…ナット、１３４…防振材、１３５…位置決めピン、１３６…左側プレート、１３６ｂ…端面、１３７…右側プレート、１３７ｂ…端面、１４３…支持ピン、１４４…偏心カム、１４６…アドバンスローラー、１５５…ハロゲンランプ、１５６…ランプハウス、１５７…光学ボックス、１６５…ハロゲンランプ装着体、１６６…通風ガイド体、１６７…遮光体、１６８…エアフィルタ、１６９…カバー体、Ｐ…感光材料
【図１】
0003994366.tif 000002
【図２】
0003994366.tif 000003
【図３】
0003994366.tif 000004
【図４】
0003994366.tif 000005
【図５】
0003994366.tif 000006